(57)【要約】      （修正有）【課題】一人であっても規定位置を簡単かつ短時間で特定、表示する規定位置表示具を提供する。【解決手段】係止体３３を地面の基準位置に係止した後、規定紐２２をリール１８から巻出すだけで、基準位置から所定距離だけ離れた規定位置をケース本体１１により表示することができるので、巻き尺のように目盛りを見ながら移動する必要はなく、この結果、高速で歩いたり、走っても問題はなく、規定位置を簡単かつ短時間で決定表示することができる。しかも、前記係止体３３を地面（基準位置）に係止した後、ケース本体１１を基準位置から離隔させて規定紐２２をリール１８から巻出すだけでよいので、一人であっても作業を問題なく行うことができる。【選択図】図１
0003193066.tif 000002
【実用新案登録請求の範囲】
【請求項１】
内部に収納空間が形成されたケース本体と、前記収納空間に収納されるとともに、ケース本体に回転可能に支持されたリールと、前記リールの周囲に巻取られるとともに、基端が該リールに固定され、中央部が前記ケース本体に形成された連通開口を通過する規定部材と、規定部材の先端に固定された先端部材と、前記ケース本体または先端部材に設けられ、地面に係止可能な係止体とを備え、前記係止体を地面の基準位置に係止した後、規定部材をリールから巻出し、基準位置から所定距離離れた規定位置を先端部材またはケース本体、あるいは、規定部材に設けられたマークにより表示するようにしたことを特徴とする規定位置表示具。
【請求項２】
前記連通開口に規定部材に接触する除去部材を設置し、規定部材の巻取り時に該規定部材に付着した付着物を除去するようにした請求項１記載の規定位置表示具。
【請求項３】
前記係止体を柱状部材から構成し、該係止体を地面に押し込むことで地面に係止するようにした請求項１または２記載の規定位置表示具。
【請求項４】
前記係止体が先端部材に設けられているとき、規定部材の基端部に着色し、該規定部材の巻出し終了間近であることを警告するようにした請求項１〜３のいずれか一項に記載の規定位置表示具。
【考案の詳細な説明】
【技術分野】
【０００１】
この考案は、地面上で基準位置から所定距離離れた規定位置を容易に表示することができる規定位置表示具に関する。
【背景技術】
【０００２】
例えば、サッカー競技において試合中に反則行為（ファウル）が行われると、該反則を受けた側の選手が反則を受けた位置からフリーキックを行うことで試合が再開されることがあるが、このフリーキックを行うとき、反則を行った側の選手は前記反則を行った位置（基準位置）から9.15ｍ（所定距離）離れた位置（規定位置）より外側で待機していなければならない。ここで、前述した規定位置は、主審(副審）が基準位置から徒歩で地面上を歩き、その歩幅、歩数から求めるようにしているが、このような人間の歩行により距離測定を行う場合には、その値は大雑把なものとならざるを得なかった。
【先行技術文献】
【特許文献】
【０００３】
【特許文献１】特開２００４−０７７４１５号公報
【０００４】
このため、例えば、上記特許文献１に記載のような巻き尺を用いて前記規定位置を求めることも考えられる。この場合には、基準位置に立っている他の人物にメジャーテープの先端を持ってもらう一方、主審(副審）が巻き尺のケース本体を持ってメジャーテープを引き出しながら基準位置から離れ、前記メジャーテープの目盛りが前記所定距離となったときの位置を規定位置とすると思われる。
【考案の概要】
【考案が解決しようとする課題】
【０００５】
しかしながら、このような巻き尺を用いて規定位置を求めるようにすると、メジャーテープの目盛りを見ながら規定位置に向かって歩くことになるため、動作が緩慢となって試合の進行が停滞してしまうという課題がある。しかも、審判が主審一人しかいないような試合においては、審判以外の人間が規定位置の決定に関与することになり、この結果、試合の中立性に疑義が生じてしまうという課題もある。
【０００６】
この考案は、一人であっても規定位置を簡単かつ短時間で表示することができる規定位置表示具を提供することを目的とする。
【課題を解決するための手段】
【０００７】
このような目的は、内部に収納空間が形成されたケース本体と、前記収納空間に収納されるとともに、ケース本体に回転可能に支持されたリールと、前記リールの周囲に巻取られるとともに、基端が該リールに固定され、中央部が前記ケース本体に形成された連通開口を通過する規定部材と、規定部材の先端に固定された先端部材と、前記ケース本体または先端部材に設けられ、地面に係止可能な係止体とを備え、前記係止体を地面の基準位置に係止した後、規定部材をリールから巻出し、基準位置から所定距離離れた規定位置を先端部材またはケース本体、あるいは、規定部材に設けられたマークにより表示するようにした規定位置表示具により、達成することができる。
【考案の効果】
【０００８】
この考案においては、係止体を地面の基準位置に係止した後、規定部材をリールから巻出すだけで、基準位置から所定距離離れた規定位置を先端部材またはケース本体、あるいは、規定部材に設けられたマークによって表示することができるので、背景技術のように目盛りを見ながら移動する必要はなく、この結果、高速で歩いたり、あるいは、走っても問題はなく、規定位置を簡単かつ短時間で決定することができる。しかも、前記係止体を地面の基準位置に係止した後、先端部材あるいはケース本体を基準位置から離隔させて規定部材をリールから巻出すだけでよいので、一人であっても作業を問題なく行うことができる。
【０００９】
また、請求項２に記載のように構成すれば、規定部材に付着した付着物がケース本体内に侵入する事態を効果的に抑制することができる。さらに、請求項３に記載のように構成すれば、係止体を強力に地面に係止することができ、この結果、規定位置を簡単かつ短時間で決定することができる。また、請求項４に記載のように構成すれば、高速で歩いたり、走っていても、規定部材の巻出し終了時に問題なく移動を停止することができ、これにより、係止体の基準位置からの係止外れが発生するような事態を防止することができる。
【図面の簡単な説明】
【００１０】
【図１】この考案の実施形態１を示す正面断面図である。
【図２】図１のＩ−Ｉ矢視断面図である。
【図３】実施形態１の使用状態を説明する説明図である。
【考案を実施するための形態】
【００１１】
以下、この考案の実施形態１を図面に基づいて説明する。
図１、２において、11はプラスチック等から構成されたケース本体であり、このケース本体11の内部には該ケース本体11の外形形状とほぼ相似形の収納空間12が形成されている。また、前記ケース本体11は厚さ方向に２分割された分割片11ａ、11ｂから構成されるとともに、該分割片11ａ、11ｂの中央部内面にはそれぞれ円柱状を呈する同軸の突起13ａ、13ｂが一体形成されている。そして、前記分割片11ａ、11ｂの周縁部および突起13ａ、13ｂの対向面同士が接着剤等により接着されることで、ケース本体11は一体化されている。前記突起13ａ、13ｂより半径方向外側で分割片11ａ、11ｂの内面にはそれぞれ前記突起13ａ、13ｂと同軸でリング状を呈する受け14ａ、14ｂが形成されている。
【００１２】
18は前記収納空間12に収納されプラスチック等から構成されているリールであり、このリール18は、前記突起13ａ、13ｂと同軸で鍔状を呈し、受け14ａ、14ｂの半径方向外側に位置するとともに、軸方向に離れた一対のディスク部18ａ、18ｂと、これらディスク部18ａ、18ｂの半径方向外端同士を連結し前記突起13ａ、13ｂと同軸で円筒状を呈するリング部18ｃとから構成されている。そして、前記リール18は、ディスク部18ａ、18ｂの内周が受け14ａ、14ｂの外周に滑り接触することで、ケース本体11に回転可能に支持されている。なお、前記ディスク部18ａ、18ｂの内周または受け14ａ、14ｂの外周の少なくともいずれか一方に、リール18の回転を円滑とするため、フッ素樹脂等の低摩擦材料からなる低摩擦層を設けるようにしてもよい。また、前記ケース本体の中央に軸方向に延びる支持軸を固定するとともに、該支持軸にリールを支持させることで、支持軸を介してリールをケース本体に回転可能に支持させるようにしてもよい。さらに、この考案においては、前記支持軸をケース本体に回転可能に支持させるとともに、該支持軸にリールを固定する一方、後述のねじりコイルばねを省略し、前記支持軸にリール回転用つまみ、ハンドルを取り付けて後述の規定紐22を巻取るようにしてもよい。
【００１３】
前記リール18、詳しくはリング部18ｃの軸方向中央部でその外周には周方向に連続した環状の環状溝21が形成され、この環状溝21の底面の一箇所には一定長さである規定部材としての細長い規定紐22の基端が固定されており、これにより、該規定紐22の基端はリール18に固定されていることになる。そして、前記リール18が巻取り方向に回転することで、前記規定紐22はリール18の周囲、詳しくは環状溝21内に巻取られる。ここで、前述の規定部材としては、例えば植物繊維、動物繊維、合成繊維を撚った糸や、これらの単線、リボンを用いることができる。また、この実施形態においては、規定紐22に、巻き尺のメジャーテープとは異なり、目盛りを付していないが、簡易的な物差しとして規定部材を用いることがある場合には、例えば先端部に目盛りを付すようにしてもよい。23は前記ケース本体11に形成され収納空間12と外部とを連通する連通開口であり、この連通開口23を通じて前記規定紐22が収納空間12から外部に巻出される際、該規定紐22の長手方向中央部は連通開口23を通過する。
【００１４】
26はケース本体11とリール18とで囲まれた収納空間12に収納された付勢手段としてのねじりコイルばねであり、このねじりコイルばね26は細径でばね鋼等から構成されている。前記ねじりコイルばね26の一端はケース本体11、ここでは突起13ａに係止され、一方、その他端はリール18のリング部18ｃに係止されている。そして、前記規定紐22がリール18から巻出されることで該リール18が巻出し方向に回転すると、前記ねじりコイルばね26は巻き込むよう変形し、一方、該規定紐22に対する巻出し力が無くなると、該ねじりコイルばね26の弾性復元力によりリール18が巻取り方向に回転し、巻出された規定紐22はケース本体11内に引き込まれながらリール18の周囲に巻取られる。なお、この考案においては、付勢手段として渦巻きばねを用いるようにしてもよい。
【００１５】
29は前記連通開口23に設置され規定紐22に接触する除去部材として除去ブラシであり、この除去ブラシ29は連通開口23に臨むケース本体11の内面から突出した多数本の毛からなる。そして、前記除去ブラシ29は、規定紐22がリール18に巻取られることでケース本体11内に引き込まれるとき、該規定紐22に摺接してその周囲に付着した泥等の付着物を除去する。このように連通開口23に規定紐22に接触する除去部材（除去ブラシ29）を設置し、規定紐22の巻取り時に該規定紐22に付着した付着物を除去するようにすれば、規定紐22に付着した付着物がケース本体11内に侵入する事態を効果的に抑制することができる。30は前記ケース本体11の外側に設置され前記連通開口23より大型の先端部材であり、この先端部材30には前記規定紐22の先端が固定されている。
【００１６】
図１〜３において、33は前記先端部材30に設けられ地面34に係止可能な係止体であり、この係止体33の基端は前記先端部材30に連続している。この係止体33は柱状部材、ここでは円柱状の部材から構成され、その先端部は先細りの円錐形を呈している。そして、前記係止体33は先端側から地面34に手あるいは足で垂直に押し込まれることで基準位置Ｂ、ここでは前述の反則を受けた位置における地面34に係止される。このように係止体33を柱状部材から構成し、該係止体33を地面34に垂直に押し込むことで地面34に係止するようにすれば、係止体33を強力に地面34に係止することができ、この結果、規定位置を簡単かつ短時間で決定することができる。
【００１７】
ここで、前記係止体33は断面が三角形以上の多角柱状であってもよく、また、地面34に芝生等が生えている場合には、該芝生等を把持することで地面34に係止させるＷクリップ状あるいは洗濯ばさみ状のものであってもよい。さらに、この考案においては、係止体を球状部材から構成してもよく、また、先端部材と係止体全体を単一の球状部材から構成してもよい。また、この考案においては、地面の状態に合わせて柱状、Ｗクリップ状、洗濯ばさみ状、あるいは、球状を呈する係止体のいずれかを先端部材に交換可能に取り付けるようにしてもよい。さらに、前述の実施形態においては、手あるいは足で先端部材30を押すことで係止体33を地面34に押し込むようにしたが、この考案においては、ケース本体に設置され予め圧縮されたスプリングをストッパーによる規制から解放し、該スプリングの弾性復元力により係止体をケース本体から射出して地面に押し込むようにしてもよい。
【００１８】
37は連通開口23近傍のケース本体11外面に一体形成され互いに離隔している二対の係止突起であり、各対の係止突起37間には前記係止体33が嵌入される間隙が形成されている。そして、規定紐22がリール18に巻取られると、係止体33を対をなす係止突起37間に嵌入し、該係止体33を係止突起37を介してケース本体11に一時固定する。なお、この考案においては、前記ケース本体11に、リール18に制動力を適宜付与する制動レバーを設けるようにしてもよい。
【００１９】
次に、前記実施形態１の作用について説明する。
前記基準位置Ｂから所定距離Ｌだけ離れた規定位置Ｃを特定表示する場合には、まず、前記係止体33を係止突起37から抜き出した後、係止体33を地面34の基準位置（反則が行われた位置）Ｂに手あるいは足で押し込み、該係止体33を地面34（基準位置Ｂ）に係止する。その後、ケース本体11を持って地面34上を歩いたり、走って基準位置Ｂから離れ、反則を行った側のゴールに向かう。このとき、リール18が巻出し方向に回転し該リール18から規定紐22が次々と巻出される一方、ねじりコイルばね26は巻き込むよう変形する。
【００２０】
そして、全部の規定紐22がリール18から巻出されると、歩行、走行を停止するが、このときのケース本体11の位置が前記基準位置Ｂから所定距離Ｌ（9.15ｍ）だけ離れた規定位置Ｃとなり、これにより、該ケース本体11により規定位置Ｃが決定表示される。ここで、ケース本体11のいずれの部位が規定位置Ｃとなるかは、規定紐22の全長を変更することで適宜決定することができるが、この実施形態では、ケース本体11の突起13ａ、13ｂの軸線を規定位置Ｃとしている。なお、この考案においては、係止体を先端部材30ではなくケース本体11に設け、規定位置Ｃを特定表示する際、ケース本体11の係止体を地面34に押し込んで係止させた後、先端部材30を持ちながら規定紐22をリール18から全部巻出し、このときの先端部材30の位置を規定位置Ｃとしてもよい。
【００２１】
このように係止体33を地面34の基準位置Ｂに係止した後、規定紐22をリール18から巻出すだけで、基準位置Ｂから所定距離Ｌだけ離れた規定位置Ｃを先端部材30またはケース本体11、あるいは、規定紐22に設けられたマークによって表示するようにすれば、背景技術のように目盛りを見ながら移動する必要はないため、高速で歩いたり、あるいは、走っても問題はなく、規定位置Ｃを簡単かつ短時間で特定表示することができる。しかも、前記係止体33を地面34の基準位置Ｂに係止した後、先端部材30あるいはケース本体11を基準位置Ｂから離隔させて規定紐22をリール18から巻出すだけでよいので、一人であっても作業を問題なく行うことができる。この結果、サッカー競技でフリーキックを行うとき、主審一人で規定位置Ｃを決定表示することができ、その位置に疑義が生じるようなことはない。
【００２２】
さらに、この考案においては、係止体から規定紐の長手方向に所定距離Ｌだけ離れた位置の規定紐にマークを設け、係止体を基準位置Ｂに係止させた後、規定紐をリールから巻出すとともに、前記マークが本体リールから出現した時点直後に巻出しを停止し、該マークの位置を規定位置Ｃとしてもよい。ここで、前述のマークとしては、例えば規定紐に設けられたリング状の着色部を用いることができ、このとき、着色部の基端、中央、あるいは先端のいずれかをマークの中心位置とすることができる。なお、この場合には規定紐の全長は所定距離Ｌより長くなる。前述のようにして規定位置Ｃが表示されると、ケース本体11を持ちながら基準位置Ｂに戻るが、このとき、規定紐22はねじりコイルばね26の弾性復元力によりリール18の周囲（環状溝21）に次々と巻取られる。その後、先端部材30を掴んで係止体33を地面34から引き抜き、該係止体33を係止突起37間に嵌入する。ここで、前述した係止体33の引き抜きを確実とするため、先端部材30の外周を粗面としたり凹凸を設け、摩擦係数を高めることが好ましい。
【００２３】
ここで、前述のように係止体33が先端部材30に設けられているとき、規定紐22の基端部（リール18に固定された部位近傍）、例えば基端から１ｍ程に赤色の着色をしてもよい。このようにすれば、規定紐22を巻出している最中に着色部が出現することで、規定紐22の巻出し終了間近であることを警告することができ、これにより、係止体33の基準位置Ｂからの係止外れが発生するような事態を防止することができる。なお、この実施形態においては、サッカー競技の試合中にフリーキックを行う場合の反則位置（基準位置）から9.15ｍ（所定距離）離れた位置（規定位置）を特定表示する場合について説明したが、この考案は、柵を設置するため所定距離毎に柱を地面に立てたり、敷地に所定距離毎の仕切り線を入れたりする場合に有効に活用することができる。
【産業上の利用可能性】
【００２４】
この考案は、地面上の基準位置から所定距離離れた規定位置を表示する産業分野に適用できる。
【符号の説明】
【００２５】
11…ケース本体             12…収納空間
18…リール                 22…規定部材
23…連通開口               29…除去部材
30…先端部材               33…係止体
34…地面                   Ｂ…基準位置
Ｃ…規定位置               Ｌ…所定距離
【図１】
0003193066.tif 000003
【図２】
0003193066.tif 000004
【図３】
0003193066.tif 000005